(57)【要約】      （修正有）【課題】急速充電に適し、端末側充電端子と充電装置側充電端子の接触面のセルフクリーニングが可能な充電装置を提供する。【解決手段】携帯端末７を充電装置１のハウジング２に第１の距離だけ押し込むと、充電装置側充電端子３は反時計方向に所定角度だけ揺動し、右側の凸部３５の上端も端末側充電端子７１の下面７２Ａに線接触する。左側の凸部３４の上端は、下面７２Ａに接触したまま第２の距離だけ左方に移動し、下面７２Ａとの接触面をセルフクリーニングする。従って、充電装置１のハウジング２に対して携帯端末７の装着が完了すると、左側の凸部３４の上端と右側の凸部３５の上端の両方が端末側充電端子７１の下面７２Ａに線接触する。【選択図】図２
0003205886.tif 000002
【実用新案登録請求の範囲】
【請求項１】
充電装置側充電端子に端末側充電端子を接触させて、携帯端末に充電する充電装置であって、
前記充電装置のハウジングに上下方向に摺動可能で、かつ摺動方向に平行な平面内で揺動可能に支持され、前記揺動方向に平行な２個の側面を有する平板状の充電装置側充電端子と、
前記充電装置側充電端子の上端に形成され、前記端末側充電端子と線接触可能で、上下方向の高さが異なる２個の凸部と、
前記充電装置のハウジングに収納され、前記充電装置側充電端子を常時上方に付勢するばね部材と、
前記充電装置のハウジングに収納され、下方に摺動した前記充電装置側充電端子の２個の側面の下端に線接触して前記充電装置側充電端子に電力を供給する平板状の通電部材とを備えた
ことを特徴とする充電装置。
【請求項２】
請求項１に記載の充電装置において、
前記通電部材は、
前記充電装置側充電端子の２個の側面の下端に各々線接触可能で、上部側が拡開するＶ字形に形成された複数の通電板を備えた
ことを特徴とする充電装置。
【請求項３】
請求項２に記載の充電装置において、
前記通電部材と前記ばね部材との間には絶縁部材が介在している
ことを特徴とする充電装置。
【請求項４】
請求項１に記載の充電装置において、
前記端末側充電端子は、
前記携帯端末のハウジングと底板との接合部を遮蔽する板状の防水パッキンを介して底板に取り付けられている
ことを特徴とする充電装置。
【考案の詳細な説明】
【技術分野】
【０００１】
本考案は、携帯情報機器や携帯電話等の携帯端末を充電するための充電装置に関し、特に、急速充電に適した充電装置に関する。
【背景技術】
【０００２】
携帯情報機器や携帯電話等の携帯端末は、充電可能な充電池を内蔵し、この充電池の電力によって動作する。電池残量が少なくなれば、携帯端末を充電装置に装着し、家庭用のコンセントから充電装置を介して、携帯端末の充電池に充電している。特許文献１に示す充電装置は、携帯端末を充電装置に装着した時に、充電装置に取り付けられた板バネ製の充電装置側充電端子が、端末側充電端子の下面に沿って左右方向に往復移動して、接触表面の酸化皮膜等の絶縁性の被膜を除去してセルフクリーニングしている。しかし、特許文献１に示す従来の充電装置は、充電装置側充電端子が端末側充電端子の下面に一箇所で線接触するため、接触抵抗が不安定で、充電時の電流を大きくすることが難しいため、急速充電には適していない。
【０００３】
図９は従来のプランジャー式の充電装置側充電端子を備えた充電装置を示し、携帯端末を充電装置に装着した状態を示す縦断面図である。図９に示すように、充電装置１００のハウジング１０１の円柱状空間１０２には、円筒状のチューブ１０３が内蔵されている。チューブ１０３の円柱状空間１０４には、プランジャー状の充電装置側充電端子１０５が上下方向に摺動可能に内嵌している。充電装置側充電端子１０５は、コイルばね１０６によって、常時上方に付勢されている。
【０００４】
充電装置１００のハウジング１０１の上部に装着された携帯端末２００のハウジング２０１の下部には、底板２０２が固定されている。図９では、携帯端末２００のハウジング２０１の下端近傍だけを示している。底板２０２には、円柱状の端末側充電端子２０３が下方から挿入され、端末側充電端子２０３の下部には、大径フランジ部２０４が形成されている。端末側充電端子２０３は、携帯端末２００の図示しない充電池に電気的に接続されている。端末側充電端子２０３、充電装置側充電端子１０５は、金属等の導電性材料で形成されている。大径フランジ部２０４の上面と底板２０２との間には、防水用のＯリング２０５が挿入されている。また、ハウジング２０１と底板２０２との接合部には、防水用のＯリング２０６が挿入されている。充電装置側充電端子１０５の上端には、半球状の凸部１０７が形成され、凸部１０７の上端が大径フランジ部２０４の下面２０４Ａに点接触して、端末側充電端子２０３に電力を供給する。
【０００５】
図９に示す従来の充電装置１００は、端末側充電端子２０３と充電装置側充電端子１０５が１点で点接触しているため、接触抵抗が不安定で、充電時の電流を大きくすることが難しいため、急速充電には適していない。また、端末側充電端子２０３と充電装置側充電端子１０５が常時同一位置で接触しているため、酸化皮膜等の絶縁性の被膜を除去するセルフクリーニングができないため、接触不良が生じやすい。さらに、端末側充電端子２０３の取り付け部の防水に、２個の防水用のＯリング２０５、２０６が必要となるため、構造が複雑で、製造コストが上昇する要因となっている。
【先行技術文献】
【特許文献】
【０００６】
【特許文献１】特開２０１３−１６９１１１号公報
【考案の概要】
【考案が解決しようとする課題】
【０００７】
本考案の目的は、急速充電に適し、端末側充電端子と充電装置側充電端子の接触面のセルフクリーニングが可能な充電装置を提供することにある。
【課題を解決するための手段】
【０００８】
前記課題は以下の手段によって解決される。
すなわち、本考案１の充電装置は、充電装置側充電端子に端末側充電端子を接触させて、携帯端末に充電する充電装置であって、前記充電装置のハウジングに上下方向に摺動可能で、かつ摺動方向に平行な平面内で揺動可能に支持され、前記揺動方向に平行な２個の側面を有する平板状の充電装置側充電端子と、前記充電装置側充電端子の上端に形成され、前記端末側充電端子と線接触可能で、上下方向の高さが異なる２個の凸部と、前記充電装置のハウジングに収納され、前記充電装置側充電端子を常時上方に付勢するばね部材と、前記充電装置のハウジングに収納され、下方に摺動した前記充電装置側充電端子の２個の側面の下端に線接触して前記充電装置側充電端子に電力を供給する平板状の通電部材とを備えたことを特徴とする。
【０００９】
本考案２の充電装置は、本考案１において、前記通電部材は、前記充電装置側充電端子の２個の側面の下端に各々線接触可能で、上部側が拡開するＶ字形に形成された複数の通電板を備えたことを特徴とする。
【００１０】
本考案３の充電装置は、本考案２において、前記通電部材と前記ばね部材との間には絶縁部材が介在していることを特徴とする。
【００１１】
本考案４の充電装置は、本考案１において、前記端末側充電端子は、前記携帯端末のハウジングと底板との接合部を遮蔽する板状の防水パッキンを介して底板に取り付けられていることを特徴とする。
【考案の効果】
【００１２】
本考案の充電装置は、充電装置のハウジングに携帯端末の装着が完了すると、２個の凸部が端末側充電端子の下面に線接触する。また、高い位置にある凸部が端末側充電端子の下面に接触したまま移動して、接触面をセルフクリーニングする。従って、接触抵抗が安定し、充電時の電流を大きくすることができるため、急速充電が可能となる。
【図面の簡単な説明】
【００１３】
【図１】図１は、本考案の実施の形態の充電装置を示し、携帯端末を充電装置に装着する途中の状態を示す縦断面図である。
【図２】図２は、図１のＡ−Ａ断面図である。
【図３】図３（ａ）は、図１のＰ矢視図、図３（ｂ）は、図２のＱ部拡大図である。
【図４】図４は、充電装置に携帯端末の装着が完了した状態を示す図１相当図である。
【図５】図５は、図４のＢ−Ｂ断面図である。
【図６】図６は、図５のＲ部拡大図である。
【図７】図７は、図４の主要部を示す斜視図である。
【図８】図８は、本考案の実施の形態の携帯端末下部の端末側充電端子を示し、図８（ａ）は携帯端末下部の端末側充電端子を示す縦断面図、図８（ｂ）は図８（ａ）のＣ−Ｃ断面図、図８（Ｃ）は図８（ａ）の下面図である。
【図９】図９は、従来の充電装置を示し、充電装置に携帯端末の装着が完了した状態を示す縦断面図である。
【考案を実施するための形態】
【００１４】
以下、本考案の実施の形態を図面に基づいて説明する。図１は、本考案の実施の形態の充電装置を示し、携帯端末を充電装置に装着する途中の状態を示す縦断面図、図２は図１のＡ−Ａ断面図である。図３（ａ）は、図１のＰ矢視図、図３（ｂ）は、図２のＱ部拡大図である。図１から図３に示すように、本考案の実施の形態の充電装置１は、箱状のハウジング２に取り付けられた充電装置側充電端子３、圧縮コイルばね（ばね部材）４、通電部材５、絶縁部材６から構成されている。充電装置側充電端子３、圧縮コイルばね４、通電部材５、絶縁部材６は、図１の左右方向に一対形成され、一方がプラス側、他方がマイナス側で、左右が同一構造であるため、一方の構造について詳細に説明する。
【００１５】
充電装置側充電端子３は、平行な２個の側面３１Ａ、３１Ｂを有する平板状で、ハウジング２の矩形の案内溝２１に上下方向に摺動可能に挿入されている。図２に示すように、充電装置側充電端子３は、上部３２の幅Ｗ１よりも下部３３の幅Ｗ２が広い逆Ｔ字形で、上部３２が案内溝２１に上下方向に摺動可能に案内される。また、案内溝２１の幅Ｗ３は上部３２の幅Ｗ１よりも広く形成されている。充電装置側充電端子３の上部３２の上端には、上部３２の幅方向に離間して、上下方向の高さが異なる２個の凸部３４、３５が形成されている。凸部３４、３５は上方に凸の円弧形状である。図３（ｂ）に示すように、左側の凸部３４の上端が右側の凸部３５の上端よりもＨ１だけ高く形成されている。
【００１６】
充電装置１のハウジング２の上部の図示しない凹部には、携帯端末７の下部が装着される。携帯端末７の円柱状の２個の端末側充電端子７１、７１の下部には、大径フランジ部７２が各々形成されている。端末側充電端子７１、７１は、携帯端末７の図示しない充電池に電気的に接続されている。携帯端末７を充電装置１のハウジング２に装着すると、最初に、高い位置にある左側の凸部３４、３４の上端が大径フランジ部７２、７２の下面７２Ａ、７２Ａに線接触する。
【００１７】
充電装置１のハウジング２の柱状空間２２には、平板状の通電部材５が挿入されている。通電部材５には、図１、図２、図７に示すように、ハウジング２の内部底面に載置される底板５１と、底板５１から上方に延びる通電板５２、５３、５４が一体的に形成されている。通電板５２、５３、５４は、上部側が拡開するＶ字形に形成され、通電板５２、５３は、充電装置側充電端子３の一方の側面３１Ａに対向し、通電板５４は、他方の側面３１Ｂに対向して配置されている。充電装置１のハウジング２の柱状空間２２には、充電装置側充電端子３を常時上方に付勢する圧縮コイルばね４が挿入されている。圧縮コイルばね４の下面と底板５１の上面との間には、平板状の絶縁部材６が介在している。
【００１８】
端末側充電端子７１、充電装置側充電端子３、通電部材５は金属等の導電性材料で形成されている。充電装置１のハウジング２には、図示しないコネクタ部が形成され、電源に接続されたＡＣアダプタから延びたコネクタと接続されている。また、ハウジング２には、携帯端末７の図示しない充電池に電力を供給するための図示しない回路基板が内蔵され、通電部材５の底板５１が回路基板と電気的に接続されている。図１に示すように、携帯端末７の下部を充電装置１のハウジング２に装着すると、高い位置にある左側の凸部３４の上端が大径フランジ部７２の下面７２Ａに最初に線接触する。
【００１９】
充電装置側充電端子３の側面３１Ａ、３１Ｂの下端は、通電板５２、５３、５４から離れているため、通電部材５から充電装置側充電端子３に電力は供給されない。従って、充電装置１に携帯端末７が装着されていない状態で、プラス側とマイナス側両方の充電装置側充電端子３の上端に金属片が誤って接触しても、短絡が生じることは無い。
【００２０】
図４は、充電装置に携帯端末の装着が完了した状態を示す図１相当図、図５は、図４のＢ−Ｂ断面図、図６は、図５のＲ部拡大図である。図４〜図６に示すように、携帯端末７を充電装置１のハウジング２に装着して押し込むと、充電装置側充電端子３が圧縮コイルばね４の付勢力に抗して押し下げられる。端末側充電端子７１の下面７２Ａに線接触する左側の凸部３４は、充電装置側充電端子３の上部３２の幅Ｗ１の中央よりも左側に配置されている。従って、充電装置側充電端子３が圧縮コイルばね４の付勢力に抗して押し下げられると、充電装置側充電端子３は案内溝２１に案内されて、図５の反時計方向に揺動する。充電装置側充電端子３の揺動平面は、充電装置側充電端子３の側面３１Ａ、３１Ｂに平行である。
【００２１】
携帯端末７を充電装置１のハウジング２に所定距離Ｌ１だけ押し込むと、充電装置側充電端子３は図５の反時計方向に角度θだけ揺動し、右側の凸部３５の上端も端末側充電端子７１の下面７２Ａに線接触する。左側の凸部３４の上端は、下面７２Ａに接触したまま距離Ｌ２だけ左方に移動し、下面７２Ａとの接触面をセルフクリーニングする。従って、充電装置１のハウジング２に対して携帯端末７の装着が完了すると、左側の凸部３４の上端と右側の凸部３５の上端の両方が端末側充電端子７１の下面７２Ａに線接触する。
【００２２】
図４に示すように、充電装置１のハウジング２に対して携帯端末７の装着が完了すると、充電装置側充電端子３の側面３１Ａ、３１Ｂの下端が、通電板５２、５３、５４に線接触する。その結果、通電部材５から充電装置側充電端子３に電力が供給され、携帯端末７の図示しない充電池が充電される。左側の凸部３４と右側の凸部３５の両方が端末側充電端子７１に線接触し、充電装置側充電端子３の下端が、通電部材５の複数箇所に線接触するため、接触抵抗が安定し、充電時の電流を大きくすることができるため、急速充電が可能となる。
【００２３】
携帯端末７の充電が完了したら、携帯端末７を充電装置１のハウジング２から取り外す。すると、充電装置側充電端子３が圧縮コイルばね４の付勢力によって押し上げられる。その結果、充電装置側充電端子３の側面３１Ａ、３１Ｂの下端が、通電板５２、５３、５４から離れるため、通電部材５から充電装置側充電端子３に電力は供給されなくなる。また、充電装置側充電端子３は図５の時計方向に角度θだけ揺動し、右側の凸部３５の上端が端末側充電端子７１の下面７２Ａから最初に離れる。次に、左側の凸部３４の上端が端末側充電端子７１の下面７２Ａから離れる。
【００２４】
左側の凸部３４の上端は、下面７２Ａに接触したまま距離Ｌ２だけ移動してから端末側充電端子７１の下面７２Ａから離れるため、下面７２Ａとの接触面をセルフクリーニングする。右側の凸部３５の上端は、左側の凸部３４の上端よりも後に端末側充電端子７１の下面７２Ａに接触し、左側の凸部３４の上端よりも先に端末側充電端子７１の下面７２Ａから離れる。従って、右側の凸部３５の上端には火花が発生しないため、右側の凸部３５の上端の接触部分の損傷や炭化物による接触不良を防止することができる。
【００２５】
図８は、本考案の実施の形態の携帯端末７下部の端末側充電端子７１を示し、図８（ａ）は携帯端末７下部の端末側充電端子７１を示す縦断面図、図８（ｂ）は図８（ａ）のＣ−Ｃ断面図、図８（Ｃ）は図８（ａ）の下面図である。図８に示すように、携帯端末７のハウジング７３の下部には、底板７４が固定されている。ハウジング７３には、ハウジング７３と底板７４との接合部を遮蔽する板状の防水パッキン７５が取り付けられている。防水パッキン７５には、円柱状の端末側充電端子７１、７１が下方から挿入され、底板７４を貫通して端末側充電端子７１、７１が取り付けられている。本考案の実施の形態の端末側充電端子７１は、１個の防水パッキン７５で防水できるため、構造が簡単で部品点数が削減されるため、製造コストを低減することができる。
【００２６】
以上、本考案の実施の形態を説明したが、本考案はこの実施の形態に限定されることはない。本考案の目的、趣旨を逸脱しない範囲内での変更が可能なことはいうまでもない。また、前述した上端、下端、左右、上下等の表現で構造、機能の説明で使用したが、これらの表現は図示上の方向で説明したものであり、例えば、上下、上端、下端は鉛直方向の場合もあるがこれに限定されることを意味せず、本考案の構造、機能が実現できれば、これらの表現に限定されるものではない。
【符号の説明】
【００２７】
１…充電装置
２…ハウジング
２１…案内溝
２２…柱状空間
３…充電装置側充電端子
３１Ａ、３１Ｂ…側面
３２…上部
３３…下部
３４、３５…凸部
４…圧縮コイルばね（ばね部材）
５…通電部材
５１…底板
５２、５３、５４…通電板
６…絶縁部材
７…携帯端末
７１…端末側充電端子
７２…大径フランジ部
７２Ａ…下面
７３…ハウジング
７４…底板
７５…防水パッキン
１００…充電装置
１０１…ハウジング
１０２…円柱状空間
１０３…チューブ
１０４…円柱状空間
１０５…充電装置側充電端子
１０６…コイルばね
１０７…凸部
２００…携帯端末
２０１…ハウジング
２０２…底板
２０３…端末側充電端子
２０４…大径フランジ部
２０４Ａ…下面
２０５…Ｏリング
２０６…Ｏリング
【図１】
0003205886.tif 000003
【図２】
0003205886.tif 000004
【図３】
0003205886.tif 000005
【図４】
0003205886.tif 000006
【図５】
0003205886.tif 000007
【図６】
0003205886.tif 000008
【図７】
0003205886.tif 000009
【図８】
0003205886.tif 000010
【図９】
0003205886.tif 000011